(57)【要約】【課題】  録画時にコマーシャルを削除した場合に生じる番組の内容が部分的に欠損する問題を解決する、光ディスク記録装置とその記録方法を提供する。【解決手段】  情報受信モジュール、コマーシャル検出モジュール、情報処理モジュール、プレイパラメータ生成モジュール及び書込みモジュールを備え、情報受信モジュールで受信した実時間情報からコマーシャル検出モジュールにより各コマーシャルの起点と終点を検出する。情報処理モジュールは、実時間情報を標準光ディスク規格に符合するデータセットに分割するとともに制御情報を生成し、コマーシャルの起点と終点とがサブレベルの一計数番号区間の起点と終点とになるように調整する。プレイパラメータ生成モジュールは標準光ディスク規格に符合するプレイパラメータを生成し、書込みモジュールはデータセット、制御情報及びプレイパラメータを記録媒体に保存する。【選択図】  図１
2006079799.tif 000002
【特許請求の範囲】
【請求項１】
実時間情報を受信する、情報受信モジュールと、
実時間情報における各コマーシャルの起点と終点を検出する、コマーシャル検出モジュールと、
実時間情報を標準光ディスク規格に符合するデータセットに分割するとともに前記標準光ディスク規格に符合する制御情報を生成し、更に、各段落のコマーシャルの起点と終点に基づいて前記データセットの一サブレベルの計数番号を調整し、任意の段落のコマーシャルの起点と終点が、丁度前記サブレベルの一計数番号区間の起点と終点となるようにする、情報処理モジュールと、
前記計数番号に基づいて、標準光ディスク規格に符合するプレイパラメータを生成する、プレイパラメータ生成モジュールと、
前記データセット、制御情報及びプレイパラメータを記録媒体に保存する、書込みモジュールと、
を有することを特徴とする、光ディスク記録装置。
【請求項２】
前記情報処理モジュールが前記データセットのサブレベルの計数番号を調整する際に、各段落のコマーシャルの起点と終点の度にそのサブレベルの計数番号に１をプラスすることを特徴とする、請求項１に記載の光ディスク記録装置。
【請求項３】
前記プレイパラメータが、
完全再生モードに対応する第一プログラム・チェーンと、
コマーシャルなしの再生モードに対応する第二プログラム・チェーンと、
によって構成され、
前記プログラム・チェーンは、前記サブレベルの計数番号及び前記サブレベルの上層の計数番号の両者によって構成されるポインタ情報であることを特徴とする、請求項１または２に記載の光ディスク記録装置。
【請求項４】
前記プレイパラメータ生成モジュールは、各プレイパラメータに対応するナビゲーション制御情報を生成し、前記ナビゲーション制御情報はメニューボタンまたは光ディスクのプレイリストによって起動されることを特徴とする、請求項１から３のいずれか１項に記載の光ディスク記録装置。
【請求項５】
前記情報受信モジュールは、受信ユニット及び映像/音声圧縮ユニットを有し、
前記映像/音声圧縮ユニットは、前記標準光ディスク規格に符合する圧縮規格を基に前記実時間情報を圧縮し、前記映像/音声圧縮ユニットはハードウェア符号器またはソフトウェア符号器の一種であり、且つ圧縮規格がMPEG-1、MPEG-2、MPEG-4、H.264、WMVまたはVC-9(VC-1)のいずれかであることを特徴とする、請求項１から４のいずれか１項に記載の光ディスク記録装置。
【請求項６】
前記各段落のコマーシャルの起点と終点が、前記コマーシャル検出モジュールによって自動的に、またはユーザの手動設定にしたがって検出されることを特徴とする、請求項１から５のいずれか１項に記載の光ディスク記録装置。
【請求項７】
前記標準光ディスク規格は、DVD-VR、DVD-Video、DVD+VR、HDDVD-Video、高容量青色記録、Enhanced Versatile Disk (EVD)、またはForward Versatile Disk (FVD)のいずれかであることを特徴とする、請求項１から６のいずれか１項に記載の光ディスク記録装置。
【請求項８】
実時間情報を受信する手順と、
前記実時間情報にあるコマーシャルの起点と終点を検出するコマーシャル検出手順と、
前記実時間情報を標準光ディスク規格に符合するデータセットに分割するとともに、各段落のコマーシャルの起点と終点に基づいて前記データセットの一サブレベルの計数番号を調整し、任意の段落のコマーシャルの起点と終点が、丁度前記サブレベルの一計数番号区間の起点と終点となるようにする手順と、
前記実時間情報の再生時の制御に用いるための、前記標準光ディスク規格に符合する制御情報を生成する手順と、
前記計数番号に基づいて前記標準光ディスク規格に符合するプレイパラメータを生成する手順と、
前記データセット、制御情報、及びプレイパラメータ、を記録媒体に保存する手順と、
を有することを特徴とする、光ディスク記録方法。
【請求項９】
前記プレイパラメータは、
完全再生モードに対応する第一プログラム・チェーンと、
コマーシャルなしの再生モードに対応する第二プログラム・チェーンと、
によって構成され、
前記プログラム・チェーンは、
前記サブレベルの計数番号及び前記サブレベルの上層の計数番号の両者によって構成されるポインタ情報であることを特徴とする、請求項８に記載の光ディスク記録方法。
【請求項１０】
前記実時間情報を受信する手順に、映像/音声を圧縮する操作が含まれ、
前記実時間情報を前記標準光ディスク規格に符合する圧縮規格に圧縮し、且つ圧縮規格がMPEG-1、MPEG-2、MPEG-4、H.264、WMVまたはVC-9 (VC-1)規格のいずれかであることを特徴とする、請求項８または９に記載の光ディスク記録方法。
【請求項１１】
前記プレイパラメータに対応するナビゲーション制御情報を生成するナビゲーション制御情報生成手順を有することを特徴とする、請求項８から１０のいずれか１項に記載の光ディスク記録方法。
【請求項１２】
標準光ディスク規格に符合するデータセット、制御情報、及びプレイパラメータが記録される、
記録媒体のデータセットのサブレベル計数番号が、受信した実時間情報のコマーシャルの起点と終点に基づいて調整され、いずれの段落のコマーシャルの起点と終点も、丁度サブレベルの一計数番号区間の起点と終点となり、且つ、前記プレイパラメータが前記計数番号に基づいて生成された、コンピュータで読み取ることのできる記録媒体。
【請求項１３】
前記プレイパラメータに対応して生成されたナビゲーション情報が記録され、且つ、前記プレイパラメータが、完全再生モードに対応する第一プログラム・チェーンと、コマーシャルなしの再生モードに対応する第二プログラム・チェーンと、によって構成されている、ことを特徴とする請求項１２に記載の記録媒体。
【請求項１４】
前記記録媒体が、情報の記録が可能な光ディスク、ハードディスク、またはメモリカードのいずれかである請求項１２または１３に記載の記録媒体。
【発明の詳細な説明】
【技術分野】
【０００１】
本発明は、光ディスク記録装置及び記録方法に関し、特にコマーシャルを含む完全再生モードとコマーシャルなしの再生モードを同時に生成できる光ディスク記録装置及びその記録方法に関する。
【背景技術】
【０００２】
ユーザは録画した番組を再生する際、番組中に放送されたコマーシャルを見たくないのが一般である。これに鑑みて、数多くの解決策が従来から提起されており、例えば、録画後に編集を行ってコマーシャルを削除する構成や、録画中に自動的にコマーシャルを検出して削除する構成等がある。
【０００３】
例えば、特許文献１及び特許文献２には、ビデオ・カセット・レコーダー（videocassette recorder；VCR）を用いたコマーシャルの自動検出と編集の発明が開示されている。特許文献１及び特許文献２では、コマーシャルの前後に生じる中断（break）を自動検出し、コマーシャル前の中断を検出する度にタイミング回路（timingcircuit）を起動し、ビデオ・レコーダーを一時停止（pause）のモードに切り替えてコマーシャルが磁気テープに記録されないようにしている。そして、タイミング回路に予め設定されているコマーシャル時間（例えば３０秒または１分間）が過ぎてもタイミング回路に新たな中断要求やカウント更新の信号が送られなかった場合、ビデオ・レコーダーを自動的に一時停止モードから録画モードに戻すことが記載されている。
【特許文献１】米国特許第５，９８７，２１０号明細書
【特許文献２】米国特許第４，７５２，８３４号明細書
【発明の開示】
【発明が解決しようとする課題】
【０００４】
上述した従来の技術によれば、ビデオ・レコーダーが一時停止モードから録画モードに切り替わる時に僅かな時間の遅延が必ず生じ、更に、コマーシャルの時間が設定時間よりも短い場合は、コマーシャル直後の番組内容が録画されず、録画している番組が部分的に欠損する事が避けられない等の欠点がある。
【０００５】
また、近年のＤＶＤ録画再生機器（例えば、Pioneer CorporationのDVR7000）では、リモートコントローラにコマーシャル・スキップ・ボタン（CMskip button）が設けられており、コマーシャルがＤＶＤディスクに録画されないように、ユーザにより３０秒から最長４分間の録画一時停止が可能となっているが、ユーザが正確にボタンを押せなかった場合は、やはり録画する番組の内容が部分的に欠損する問題は避けられない。
【０００６】
本発明は、上記課題に鑑みてなされたものであり、その目的は、完全再生モードとコマーシャルなしの再生モードの二種類の再生方法を提供でき、録画時にコマーシャルを削除した場合に生じる番組が部分的に欠損するという問題を解決できる、光ディスク記録装置とその記録方法を提供することにある。
【課題を解決するための手段】
【０００７】
本発明による光ディスク記録装置は、情報受信モジュール、コマーシャル検出モジュール、情報処理モジュール、プレイパラメータ生成モジュール及び書込みモジュールを有し、情報受信モジュールは、実時間情報を受信し、コマーシャル検出モジュールは、実時間情報における各コマーシャルの起点と終点を検出する。情報処理モジュールは、実時間情報を標準光ディスク規格に符合するデータセットに分割するとともに標準光ディスク規格に符合する制御情報を生成し、更に、各段落のコマーシャルの起点と終点に基づいてデータセットの一サブレベルの計数番号を調整し、任意の段落のコマーシャルの起点と終点が、丁度前記サブレベルの一計数番号区間の起点と終点となるようにする。プレイパラメータ生成モジュールは、前記計数番号に基づいて標準光ディスク規格に符合するプレイパラメータを生成し、書込みモジュールはデータセット、制御情報及びプレイパラメータを記録媒体に保存する。
【発明の効果】
【０００８】
本発明によれば、番組と番組の間のコマーシャルにある計数番号が付され、当該計数番号がコマーシャル前の番組及びコマーシャル後の番組に付される計数番号と異なるため、プレイパラメータ生成モジュールはこれを基に異なるプレイパラメータを生成し、コマーシャルを含む完全再生モードとコマーシャルなしの再生モードの二種類の再生モードを提供する。よって、録画時に番組の内容が部分的に欠損することを回避でき、さらに、録画した光ディスクを再生する時に、コマーシャルなしの再生モードまたはコマーシャルを含む完全再生モードを選択することができる。
【発明を実施するための最良の形態】
【０００９】
次に本発明について図面を参照して説明する。
【００１０】
（実施例１）
図１は、本発明の実施例１の光ディスク記録装置１０であり、情報受信モジュール１２と、コマーシャル検出モジュール１４と、情報処理モジュール１６と、プレイパラメータ生成モジュール１８と、光ディスク書込みモジュール２０と、を有する。光ディスク記録装置１０は、例えば、Write Once Optical DiskやCD-RW等の光ディスク２４に情報を記録する。
【００１１】
本発明を説明する前に、標準光ディスク規格と本発明の関連性について説明する。
【００１２】
通常録画時に用いられる標準光ディスクの規格には、DVD-VR、DVD-Video、DVD+VR、HDDVD-Video、高容量青色記録、Enhanced Versatile Disk (EVD)、Forward Versatile Disk (FVD)、などがある。以下、常用されるDVD-Video標準光ディスク規格を例に説明する。
【００１３】
図２はDVD-Video標準光ディスク規格の目録構造を示す図である。
【００１４】
図２に示すように、Video Manager (VMG)は、情報を制御するVideoManager Information (VMGI)と、Video Manager Menu (VMGM)を含むVideo Object Set (VOBS)と、VMGIと同じ内容のVMGIバックアップとを有し、番組の全体内容の管理表を提供する。上述の構造はそれぞれVIDEO_TS.IFO、VIDEO_TS.VOB、VIDEO_TS.BUPの三つのファイルに対応する。
【００１５】
VMGは選択的にディスクの内容を示すリストであるメインメニューを有することができる。通常、メインメニューが存在する場合、そのメインメニューはユーザがディスクを再生した時に最初に見ることができる画面である。
【００１６】
番組の実際の内容はVideo Title Set (VTS)に記録され、一つのディスクは９９個までのVideoTitle Set (VTS)を有することができる。ディスクの各VTSは１０個までのVideo Object (VOB)ファイルを有することができ、各VOBファイルには一つの大きいデータブロックを記録することができる。
【００１７】
図３は、VOBS、VOB、保存セル、及びVideo Object Unit(VOBU)の階層関係を示す図である。VOBSは一つ以上のVOB（VOB_IDN1、VOB_IDN2、…、VOB_IDNi）から構成され、VOBは実時間映像音声情報の記録に用いられ、更に小さい保存セル（C_IDN1、C_IDN2、…、C_IDNj）から構成される。図の保存セルに付与された番号はセルＩＤ（cellID）であり、セルＩＤは対応する保存セルが属するVOBにおける相対位置を示している。よって、特定の保存セルを指定する場合、その保存セルのセルＩＤと該保存セルを有するVOBのvideoobject IDの二つによって指定することができる。
【００１８】
一保存セルは、更に小さいVideo Object Unit (VOBU)によって構成され、且つ、一つのVOBUは、例えば、図に示すような、ナビゲーション・パケット(NV_PCK)、映像パケット(V_PCK)、字幕パケット(SP_PCK)、音声パケット(A_PCK)などの、複数の異なる種類のパケットによって構成される。
【００１９】
ナビゲーション・パケットの制御情報はVOBUが記録された実時間情報の再生または検索に用いられる。映像パケットは記録された映像情報であり、音声パケットは記録された音声情報である。
【００２０】
よって、光ディスクに録画するとき、録画に採用された標準光ディスク規格に従い、実時間情報を該標準光ディスク規格に符合するデータセットに分割すると同時に、該標準光ディスク規格に符合した制御情報、例えば、上記VMGやナビゲーション・パケット(NV_PCK)等に記録される制御情報、を生成しなければならない。
【００２１】
図４は、通常の標準光ディスク規格において、プログラム・チェーン（ProgramChain ；PGC）により実時間情報再生時の再生序列を如何に制御するかを示す図である。
【００２２】
一つのDVD-Videoは異なる再生の順序が形成できるように複数のプログラム・チェーンを有することができ、ユーザはこれらのプログラム・チェーンから希望する再生序列に対応した一プログラム・チェーンを選択することができる。図４に示すように、プログラム・チェーンはProgram#１からProgram#ｎまであり、各プログラムには一連の保存セルのポインタ情報が記録されている。ポインタ情報は保存セル番号（セルＩＤ）及びその保存セルを有するvideoobject IDによって定義される。プログラム・チェーンはDVD-Videoの管理情報保存区に記録され、VTSに記録された内容を読み取る前に、プログラム・チェーンに保存された情報が先に読み取られ、不図示のシステム制御装置のメモリに取り込まれる。
【００２３】
本発明の光ディスク記録装置１０の各モジュールの構成は下記のとおりである。
【００２４】
図５は、実施例１の情報受信モジュール１２であり、受信ユニット３２及び映像/音声圧縮ユニット３４を有する。受信ユニット３２は入力された実時間情報２２を受信する。実時間情報２２は、有線または無線テレビ放送の映像/音声情報または信号、デジタルまたはアナログのテレビ放送の映像/音声情報または信号、デジタルまたはアナログのビデオカメラの映像/音声情報または信号などである。受信ユニット３２は、入力される実時間情報の種類によって、例えば、テレビチューナーカード（TVtuner card）、ビデオキャプチャカード（Video capture card）、デジタルテレビ受信器など、となる。
【００２５】
受信ユニット３２が実時間情報２２を受信すると、実時間情報２２にはそれぞれ映像転換処理及び音声転換処理が実行され、その後、映像/音声圧縮ユニット３４によって処理され、録画に採用された標準光ディスク規格の圧縮規格に基づいて圧縮される。ここで用いる圧縮規格は制限されるものではなく、例えば、MPEG-1、MPEG-2、MPEG-4、H.264、WMV、またはVC-9(VC-1)等のいずれかを用いればよい。
【００２６】
上述の実時間情報の映像/音声圧縮過程は、ハードウェア符号器またはソフトウェア符号器によって実現される。
【００２７】
図１に示すように、入力された実時間情報２２は、情報受信モジュール１２で受信された後、コマーシャル検出モジュール１４によって実時間情報２２における各コマーシャルの起点と終点が検出され、更に情報処理モジュール１６により録画時に採用された標準光ディスク規格にしたがって処理される。
【００２８】
本発明のコマーシャル検出モジュール１４で実行する実時間情報における各コマーシャルの起点と終点を検出する方法は制限されるものではない。例えば、コマーシャル開始前と終了後に生じる中断を検出してもよく、挿入される黒いフレームや空白フレームを検出してもよく、音声/映像内容分析、シーン検出（scene detection）などの技術を用いてもよい。従来のコマーシャル検出技術は既に有効にコマーシャルの起点と終点を検出することを可能としており、例えばテレビ番組中に放送されるコマーシャルの開始前と終了後に挿入される黒いフレームを検出する場合、入力されるフレームの平均輝度(average luminance)と黒いフレームの平均輝度を比較し、両者の輝度の差が例えばしきい値である５％内であれば、黒いフレームであると判断される。勿論、本発明のコマーシャル検出モジュール１４の処理は上述した自動検出方法に制限されるものではなく、ユーザによるリモートコントローラ等の入力装置を用いた設定を基にコマーシャルの起点と終点を検出してもよい。
【００２９】
コマーシャル検出モジュール１４は、実時間情報２２における各コマーシャルの起点と終点を検出した後、該情報を情報処理モジュール１６に送信する。なお、本明細書や特許請求の範囲で用いる「コマーシャルの段落」とは、番組とコマーシャルが切り替わる点を境界点とすると、隣り合う二つの境界点に挟まれる全てのコマーシャルを示している（隣り合う二つの境界点に挿入される全てのコマーシャルをまとめて一段落のコマーシャルと称している）。
【００３０】
情報処理モジュール１６は、標準光ディスク規格（例えば図２に示すようなDVD-Video標準光ディクス規格）を基に受信した実時間情報２２を記号化し、最小ユニットから順にパケット、Video Object Unit (VOBU)、保存セル、Video Object (VOB)、Video ObjectSet(VOBS)の小から大の順に各階層を構成し、同時にVideo Manager (VMG)、ナビゲーション・パケット(NV_PCK)等に記録する制御情報を生成する。制御情報は、例えば、ユーザが素早く画面内容を検索できるような制御機能を提供する等、実時間情報再生時の制御にも用いられる。
【００３１】
本発明では、情報処理モジュール１６が実時間情報を標準光ディスク規格に符合するデータセットに細かく分割する処理の際に、コマーシャル検出モジュール１４から送信されるコマーシャルの起点、終点の情報を取り入れる設計となっている。
【００３２】
図６に示すように、本発明によれば、コマーシャル検出モジュール１４は、実時間情報内にある一段落のコマーシャルの起点を検出すると、直ちに情報処理モジュール１６に通知し、標準光ディスク規格を基に、続けて録画される該段落のコマーシャル（コマーシャルＡ、コマーシャルＢ、コマーシャルＣを含む）に新たなセルＩＤ(Cell_ID=i+1)を与える。そして、コマーシャル検出モジュール１４が該段落のコマーシャルの終点を検出すると、再び情報処理モジュール１６に通知し、標準光ディスク規格を基に、続けて録画される番組内容に新たなセルＩＤ(Cell_ID=i+2)を与える。即ち、本発明によれば、情報処理モジュールが一段落のコマーシャルの起点と終点を検出すると、標準光ディスク規格に符合するデータセットを生成する際に、該段落のコマーシャルの起点と終点を基に保存セルに新たな計数番号（セルＩＤ）を与える。よって、同じ段落内のコマーシャルは、全て同じ計数番号（例えば図に示すようなCell_ID=i+1の区間内）となり、コマーシャル前後の録画したい番組内容の計数区間と区別することができる（例えば図例の場合、録画したい番組内容の計数番号はCell_ID=i、Cell_ID=i+2である）。つまり、情報処理モジュール１６は、各段落のコマーシャルの起点と終点に基づいてデータセットの一サブレベル（例えば図例の保存セル）の計数番号を調整し、任意段落のコマーシャルの起点と終点とが、丁度該サブレベルの一計数番号区間の起点と終点となるようにする。
【００３３】
次に、プレイパラメータ生成モジュール１８は、録画時に採用された標準光ディスク規格に従い、上述の設計を利用して異なるプログラム・チェーン(Program Chain； PGC)を生成してプレイパラメータとし、複数の再生序列を形成する。図６を例とすると、プログラム・チェーンは、
（a）セルＩＤ順に、即ち、Cell_ID=i、Cell_ID=i+1、Cell_ID=i+2、Cell_ID=i+3…の順に、コマーシャルを含む完全な番組内容の再生序列、または、
（b）コマーシャルなしの再生モードのセルＩＤの順に、即ち、Cell_ID=i、Cell_ID=i+2、Cell_ID=i+3…の順に、コマーシャルを含むセルＩＤ(Cell_ID=i+1)をプログラム・チェーンに編入しないことで、コマーシャルを削除した番組内容の再生序列、
のいずれか一方を選択可能に形成する。
【００３４】
録画が終了する時、プレイパラメータ生成モジュール１８が生成した上述の二種類のプログラム・チェーンを基に、録画時に採用した標準光ディスク規格に応じて、例えば図７に示すDVD-Video規格のメニュー(menu)のような二種類の再生モードのナビゲーション制御情報を生成する。ユーザがメニューにある完全再生モードのボタン３６を選択すると、再生序列として完全再生する序列を持つプログラム・チェーンを起動し、録画した番組の原始内容を完全に再生する。ユーザがメニューにあるコマーシャルなしの再生モードのボタン３８を選択すると、再生序列としてコマーシャルが削除されているプログラム・チェーンを起動し、コマーシャルが削除された番組内容を再生することができる（つまりコマーシャルの無い保存セルを再生する）。さらに、例えばDVD-VR等、他の標準光ディスク規格においても、上述の二種類の再生モードに対応するナビゲーション制御情報を光ディスクのプレイリスト(play list)に形成してもよい。その場合、再生モードはユーザが光ディスクのプレイリストを選択することで起動される。
【００３５】
よって、本発明によれば、録画した原始内容を完全に再生する完全再生モードと、コマーシャルなしの再生モードと、の二つの再生方法を同時に得ることができる。これにより、録画時に番組内容が部分的に欠損することなく、録画した光ディスクを再生する時にコマーシャルを削除した再生方法または録画内容を完全にプレイする再生方法を選択できる。
【００３６】
注意すべきは、上述の保存セルのサブレベルは本発明の内容を簡単に説明するための例に過ぎないことである。例えば、同じ段落のコマーシャル内容を全て同一計数番号の一サブレベルの区間に区分けし、且つ、そのプレイパラメータが前記計数番号を基に生成されれば、本発明の効果は遂げられる。なお、どのような光ディスク標準規格下のどのサブレベルを用いるかは制限されない。
【００３７】
更に、実施例１では、一つのvideo object IDだけを、即ち保存セルＩＤが全て同じvideo object  ID (VOB_ID=1)を使用している。これは、一つのvideo objectが最多で２５５個の保存セルを有することができ、一般の録画に十分足りるためである。勿論、本発明は異なるvideoobject IDと保存セルＩＤを結合させ、必要に応じて保存セルＩＤを異なるvideo object IDに付属させることも可能である。
【００３８】
（実施例２）
図８は光ディスク書込みモジュール６０の一構成例を示す図である。
【００３９】
光ディスク書込みモジュール６０は、プログラム書き込みユニット６２と、出力/入力インターフェイス６４と、ＣＤライター７０と、を有する構成である。プログラム書き込みユニット６２はプログラムによって出力/入力インターフェイス６４を駆動し、情報処理モジュール１６とプレイパラメータ生成モジュール１８が生成したデータセット、ナビゲーション制御情報、及びプレイパラメータを情報の記録が可能な光ディスク２４に書き込む。
【００４０】
出力/入力インターフェイス６４は、プログラム書き込みユニット６２から出力される、ＣＤライター７０を駆動する命令及び書き込み対象の情報をＣＤライター７０に供給し、書き込みを実行する。ＣＤライター７０は情報の記録が可能な光ディスク２４を回転させるためのモータ７２と、光ディスク２４のトラックの読み取り、書き込み、または走査に用いるピックアップ７４と、ピックアップ７４を光ディスク２４の半径方向に沿って定位させる位置決め装置７６と、を備えている。さらに、ＣＤライター７０は変調ユニット６６と制御ユニット６８とを有する。制御ユニット６８は、例えばシステムバス(system bus)等の制御線を介して、モータ７２や位置決め装置７６等のＣＤライター７に関連する装置を制御する。制御ユニット６８は、例えば、マイクロプロセッサと、プログラムを保存するメモリ、または制御ゲート(control gate)によって構成される制御回路である。情報処理モジュール１６及びプレイパラメータ生成モジュール１８が生成したデータセット、ナビゲーション制御情報、並びにプレイパラメータは、光ディスク書込みモジュール６０によって書き込み信号に変換され、ピックアップ７４が駆動されて光ディスク２４に書き込まれる。
【００４１】
実施例２では、光ディスク書込みモジュール６０を用いてデータセット、ナビゲーション制御情報、及びプレイパラメータ、を情報の記録が可能な光ディスク２４に書き込む例を示したが、本発明の光ディスク記録方法はこれらの処理に制限されるものではない。本発明の情報処理モジュール１６がコマーシャルの起点と終点を基にデータセットの一サブレベルの計数番号を調整し、同じ段落のコマーシャル内容を同じ計数番号区間内のサブレベルに仕分けた後、標準光ディスク規格に符合するデータセット、制御情報及びプレイパラメータを、光ディスク２４ではなく、コンピュータで読み取ることが可能な、例えばハードディスクやメモリカード等の記録媒体に保存しても良い。
【００４２】
図９は本発明の光ディスク記録方法の操作手順を示すフローチャートであり、光ディスクへは採用された標準光ディスクの規格に基づき録画される。
【００４３】
録画開始時、光ディスク記録装置１０は、まず、実時間情報の受信を行う（手順１０２）。実時間情報受信手順１０２は映像/音声圧縮の処理を含み、実時間情報を、録画時に用いる例えばMPEG-2規格である、標準光ディスクの圧縮規格にしたがって圧縮する。
【００４４】
次に、コマーシャルの検出を行う（手順１０４）。手順１０４では、実時間情報内にある各段落のコマーシャルの起点と終点を検出する。
【００４５】
各段落のコマーシャルの起点と終点の検出後、実時間情報処理を行う（手順１０６）。手順１０６では、録画時に採用した標準光ディスク規格によって、該段落のコマーシャルの起点と終点を基に保存セルに新しい計数番号を与え、該段落のコマーシャルの内容を全て同一計数番号の区間に仕分けし、録画したい番組内容と区別させる。この方法により、実時間情報は標準光ディスク規格に符合する細かいデータセットに分割される。本発明の実施例２で用いる保存セルはDVD-video規格のデータセットの一サブレベルであるが、これは本発明を簡単に説明するための例に過ぎず、本発明は同じ段落のコマーシャル内容をサブレベルの独立した同じ計数番号区間内に仕分ける効果が遂げられればよく、どのような標準光ディスク規格を使用して同じ段落のコマーシャルをどのサブレベルに記録するかは制限されない。
【００４６】
さらに、実時間情報処理手順１０６では同時に標準光ディスク規格に符合する制御情報を生成する。制御情報は、該実時間情報の再生時に、例えば、ユーザに画面内容を素早く検索させる制御機能を提供するなどの、制御機能に用いられる。
【００４７】
次に、光ディスク記録装置１０は、プレイパラメータ処理を行う（手順１０８）。手順１０８では、標準光ディスク規格に対してプレイパラメータとしてプログラム・チェーンを生成し、これによって再生序列を生成する。生成するプログラム・チェーンには、(a).順番に沿ったセルＩＤ（Cell-ID）の順に、コマーシャルを含む番組内容全体を再生する再生序列と、(b).コマーシャルなしの再生モードによるセルＩＤ（Cell-ID）の順に、コマーシャルが削除された番組内容の再生序列と、を含んでいる。
【００４８】
プレイパラメータ生成後、光ディスク記録装置１０は、さらに続けてナビゲーション制御情報を生成する（手順１１０）。手順１１０では、録画時に採用した標準光ディスク規格に従い、プレイパラメータ処理手順１０８で生成した二種類のプログラム・チェーンに基づいて二種類の再生モードのナビゲーション制御情報を生成する。二つのナビゲーション制御情報の一方は、番組内容を完全に再生するプログラム・チェーンを起動し、録画時の原始内容を完全に再生するための制御情報であり。他方はコマーシャルを削除したプログラム・チェーンを起動し、コマーシャルが削除された番組内容を再生するための制御情報である。
【００４９】
最後に、標準光ディスク規格に符合するデータセット、制御情報、及び完全再生モードまたはコマーシャルなしの再生モードに対応するプログラム・チェーンのナビゲーション制御情報、をコンピュータ等で読み取ることが可能な記録媒体に書き込むことで（手順１１２）、本発明の光ディスク記録方法の手順が完了する。記録媒体は、例えば、情報の記録が可能な光ディスク、ハードディスク、メモリカード等である。
【００５０】
実施例２による説明は、本発明の内容を簡単に説明するための内容に過ぎず、本発明をそれらの構造に狭義的に制限するものではない。本発明の要旨を逸脱しない範囲の設計変更等があっても本発明に含まれる。
【図面の簡単な説明】
【００５１】
【図１】本発明の実施例１の光ディスク記録装置を示す図である。
【図２】DVD-Video標準光ディスク規格の目録構造を示す図である。
【図３】VOBS、VOB、保存セル、Video Object Unit (VOBU)の階層関係を示す図である。
【図４】通常の標準光ディスク規格においてプログラム・チェーンによって実時間情報再生時の再生序列を制御した際の図である。
【図５】本発明の情報受信モジュールを示す図である。
【図６】本発明の、同時に完全再生モードとコマーシャルなしの再生モードを生成する設計構造を示す図である。
【図７】完全再生モードとコマーシャルなしの再生モードを含むメニューを示す図である。
【図８】光ディスク書込みモジュールを示す図である。
【図９】本発明の光ディスク記録方法の操作手順を示すフローチャートである。
【符号の説明】
【００５２】
１０    光ディスク記録装置
１２    情報受信モジュール
１４    コマーシャル検出モジュール
１６    情報処理モジュール
１８    プレイパラメータ生成モジュール
２０    光ディスク書込みモジュール
２２    実時間情報
２４    記録可能な光ディスク 
３２    受信ユニット
３４    映像/音声圧縮ユニット
３６    完全再生モードのボタン
３８    コマーシャルなしの再生モードのボタン
６０    光ディスク書込みモジュール
６２    プログラム書き込みユニット
６４    出力/入力インターフェイス
６６    変調ユニット
６８    制御ユニット
７０    ＣＤライター
７２    モータ
７４    ピックアップ
７６    位置決め装置
１０２    実時間情報受信手順
１０４    コマーシャル検出手順
１０６    実時間情報処理手順
１０８    プレイパラメータ処理手順
１１０    ナビゲーション制御情報生成手順
１１２    光ディスク書き込み手順
NV_PCK    ナビゲーション・パケット
A_PCK    音声パケット
V_PCK    映像パケット
SP_PCK    字幕パケット
C_IDN#1、C_IDN#2、C_IDN#3、C_IDN#4、C_IDN#5、…、C_IDN#i    セルＩＤ
VOB_IDN#1、VOB_IDN#2    Video Object番号
【図１】
2006079799.tif 000003
【図２】
2006079799.tif 000004
【図３】
2006079799.tif 000005
【図４】
2006079799.tif 000006
【図５】
2006079799.tif 000007
【図６】
2006079799.tif 000008
【図７】
2006079799.tif 000009
【図８】
2006079799.tif 000010
【図９】
2006079799.tif 000011